(57)【要約】【課題】電池とともに収納されたカードを着脱する際の作業性が向上した電子機器を提供すること。【解決手段】電池１４を収納する電池収納部１５とカード１６を収納するカード収納部１７が併設された本体部１１と、電池収納部及びカード収納部を覆う形態で本体部にスライド可能に装着される電池カバー３０と、本体部と電池カバーとの間に設けられ、電池カバーをそのスライド位置に応じた全閉位置と半開き位置とに位置決めする位置決め手段とを備える。カード収納部１７は、電池カバー３０が半開き位置にあるとき、電池１４を収納したままカードを着脱可能にした。【選択図】図１
2008263433.tif 000002
【特許請求の範囲】
【請求項１】
電池を収納する電池収納部とカードを収納するカード収納部が併設された本体部と、
前記電池収納部及びカード収納部を覆う形態で前記本体部にスライド可能に装着される電池カバーと、
前記本体部と前記電池カバーとの間に設けられ、前記電池カバーをそのスライド位置に応じた全閉位置と半開き位置とに位置決めする位置決め手段とを備え、
前記カード収納部は、前記電池カバーが半開き位置にあるとき、前記電池を収納したまま前記カードを着脱可能であることを特徴とする電子機器。
【請求項２】
前記位置決め手段は、前記本体部に設けられた複数の固定側フックと、前記電池カバーに設けられた複数の移動側フックとを備え、それら固定側フックおよび移動側フックは電池カバーのスライド方向に間隔をおいて並べて配置され、前記電池カバーの全閉位置と半開き位置においてそれぞれ対応するフックどうしが相互に係合することを特徴とする請求項１に記載の電子機器。
【請求項３】
前記固定側フック及び移動側フックは、本体部及び電池カバーから互いに対向する方向に突出した起立片と、起立片の両側から電池カバーのスライド方向へ突出した両側フック片とをそれぞれ備え、前記電池カバーの全閉位置と半開き位置において前記各フックの相対する両側フック片どうしが係合可能に設定されていることを特徴とする請求項２に記載の電子機器。
【請求項４】
前記位置決め手段は、前記本体部に設けられた凸部と、前記電池カバーに設けられてその電池カバーの全閉位置で前記凸部が嵌まり込む第１凹部と、前記電池カバーの半開き位置で前記凸部が嵌まり込む第２凹部とを備えることを特徴とする請求項１に記載の電子機器。
【請求項５】
前記本体部と電池カバーとの間に設けられて電池カバーを本体部の長手方向にスライドさせるスライドガイドを備え、そのスライドガイドは、前記本体部の両側部分に設けられて本体部の長手方向に延びるレール溝と、前記電池カバーの両縁部に設けられて前記レール溝に係合するレールとを含み、前記レール溝部分に前記凸部を構成する弾性部材が設けられ、前記レール部分に前記第１凹部及び第２凹部が設けられていることを特徴とする請求項４に記載の電子機器。
【請求項６】
前記カード収納部のカードの出し入れ口が、前記本体部の側方に開口していることを特徴とする請求項１に記載の電子機器。
【請求項７】
前記カード収納部は、そのカード収納部に収納されるカードの片面が前記電池の装着される面に露出する状態で配設されていることを特徴とする請求項１に記載の電子機器。
【発明の詳細な説明】
【技術分野】
【０００１】
本発明は、携帯端末等の電子機器に関し、特に、情報記録媒体としてのメモリカード等を着脱可能に装備するための技術に関する。
【背景技術】
【０００２】
近年、携帯電話に対する小型化・薄型化の要求が多く、外部メモリとして、microＳＤ（micro Secure Digital）メモリカードを採用するものが主流となっている。また、小型化やデザイン上の優位性・コストメリットから、microＳＤメモリカードを、電池カバーを外した内側に収納しているものがある。
【０００３】
特許文献１には、バッテリ収納部にＵＩＭ（User Identity Module）カード収納部を設け、そのＵＩＭカードの片面が露出する状態でＵＩＭカード収納部を配設することで、バッテリ収納部からバッテリを取り外した際、ＵＩＭカードの片面を指で触って抜き差しできるようした技術が記載されている。
【特許文献１】特開２００３−３０９６３３号公報
【発明の開示】
【発明が解決しようとする課題】
【０００４】
従来のように、電池カバーを外した内側にmicroＳＤメモリカード及び電池（バッテリ）が設置されている携帯電話では、電池カバーを外してmicroＳＤカードを取り出しているときに、電池を落としてしまうことがあった。また、電池カバーを落とし、紛失してしまうこともあった。
【０００５】
また、特許文献１に記載の技術では、バッテリ収納部からバッテリを取り外した際、ＵＩＭカードの片面を指で触って抜き出しできるものの、バッテリが装着された状態でＵＩＭカードを抜き差しすることはできなかった。
【０００６】
よって、本発明の課題は、電池とともに収納されたカードを着脱する際の作業性が向上した電子機器を提供することである。
【課題を解決するための手段】
【０００７】
以上の課題を解決するため、請求項１に係る発明は、電池を収納する電池収納部とカードを収納するカード収納部が併設された本体部と、前記電池収納部及びカード収納部を覆う形態で前記本体部にスライド可能に装着される電池カバーと、前記本体部と前記電池カバーとの間に設けられ、前記電池カバーをそのスライド位置に応じた全閉位置と半開き位置とに位置決めする位置決め手段とを備え、前記カード収納部は、前記電池カバーが半開き位置にあるとき、前記電池を収納したまま前記カードを着脱可能であることを特徴とする。
【０００８】
請求項２に係る発明は、請求項１に記載の電子機器において、前記位置決め手段は、前記本体部に設けられた複数の固定側フックと、前記電池カバーに設けられた複数の移動側フックとを備え、それら固定側フックおよび移動側フックは電池カバーのスライド方向に間隔をおいて並べて配置され、前記電池カバーの全閉位置と半開き位置においてそれぞれ対応するフックどうしが相互に係合することを特徴とする。
【０００９】
請求項３に係る発明は、請求項２に記載の電子機器において、前記固定側フック及び移動側フックは、本体部及び電池カバーから互いに対向する方向に突出した起立片と、起立片の両側から電池カバーのスライド方向へ突出した両側フック片とをそれぞれ備え、前記電池カバーの全閉位置と半開き位置において前記各フックの相対する両側フック片どうしが係合可能に設定されていることを特徴とする。
【００１０】
請求項４に係る発明は、請求項１に記載の電子機器において、前記位置決め手段は、前記本体部に設けられた凸部と、前記電池カバーに設けられてその電池カバーの全閉位置で前記凸部が嵌まり込む第１凹部と、前記電池カバーの半開き位置で前記凸部が嵌まり込む第２凹部とを備えることを特徴とする。
【００１１】
請求項５に係る発明は、請求項４に記載の電子機器において、前記本体部と電池カバーとの間に設けられて電池カバーを本体部の長手方向にスライドさせるスライドガイドを備え、そのスライドガイドは、前記本体部の両側部分に設けられて本体部の長手方向に延びるレール溝と、前記電池カバーの両縁部に設けられて前記レール溝に係合するレールとを含み、前記レール溝部分に前記凸部を構成する弾性部材が設けられ、前記レール部分に前記第１凹部及び第２凹部が設けられていることを特徴とする。
【００１２】
請求項６に係る発明は、請求項１に記載の電子機器において、前記カード収納部に収納されるカードの出し入れ口が、前記本体部の側方に開口していることを特徴とする。
【００１３】
請求項７に係る発明は、請求項１に記載の電子機器において、前記カード収納部は、そのカード収納部に収納されるカードの片面が前記電池の装着される面に露出する状態で配設されていることを特徴とする。
【発明の効果】
【００１４】
本発明の電子機器によれば、電池とともに収納されたカードを着脱操作する際の作業性を向上させることができる。
【発明を実施するための最良の形態】
【００１５】
以下、図を参照して本発明を実施するための最良の形態を詳細に説明する。
（実施形態１）
図１は、本発明を適用した携帯電話機の電池カバーおよびメモリカードを外した状態の斜視図である。図２はメモリカードが装着されている状態の側面図である。図３は電池カバーが全閉位置にあるときの斜視図である。図４は電池カバーが半開き位置にあるときの斜視図である。図５及び図６は位置決め手段のフックの構造を示す断面図である。
【００１６】
これらの図に示すように、携帯電話機１０は、平面視で概略矩形状に形成される本体部（以下、下筐体という）１１と、上筐体１２とを備えている。下筐体１１と上筐体１２とはヒンジ部１３を介して回動可能に連結されている。この携帯電話機１０は、携帯時には下筐体１１と上筐体１２とを互いに向き合わせて閉じた状態（折り畳み状態）で用いられる。
【００１７】
上筐体１２には、特に図示していないが、文字や画像等の情報表示部の他に、アンテナ、送受信部、受話部等が設けられている。下筐体１１には、上筐体１２と対向する表面側に押しボタン等の操作部（図示せず）が設けられている。下筐体１１の裏面側には、図１に示すように、平面矩形状の薄型電池１４を収納する凹形状の電池収納部１５と、メモリカード１６を収納するカード収納部１７と、カメラ部１８とが設けられている。
【００１８】
このメモリカード１６としては、microＳＤメモリカード、ＳＩＭ（Subscriber Identity Module）カードやＵＩＭ（User Identity Module）カード等のＩＣカード（加入者識別用情報カード）の他に、音声情報、画像情報、及び文章情報等を記録可能なＭＭＣ（Multi Media Cａrd 登録商標）やＳＤ（Super Density 登録商標）カード等の情報記録用カード等も例示することができる。
【００１９】
下筐体１１の裏面は、ヒンジ部１３寄りの平坦な裏面部分１１ａと、それよりも一段下がった第１段部１９と、その第１段部１９の周囲に沿って平面コ形状に形成されて第１段部１９よりも更に一段下がった第２段部１９ａを有するように形成されている。カメラ部１８は平坦な裏面部分１１ａの中央部分に設けられ、電池収納部１５とカード収納部１７は第１段部１９部分に設けられている。
【００２０】
さらに、この下筐体１１の第１段部１９及び第２段部１９ａ部分には、電池カバー３０が電池収納部１５及びカード収納部１７を覆う形態でスライド可能に装着される。電池収納部１５とカード収納部１７は下筐体１１の長手方向（電池カバー３０のスライド方向）に並べて配置されている。この場合、電池収納部１５が下筐体１１の自由端側（ヒンジ部１３と反対側の端部）へ寄せて配置され、カード収納部１７が電池収納部１５に隣接する形態で電池収納部１５と平坦な裏面部分１１ａとの間に配置されている。
【００２１】
メモリカード１６のカード収納部１７は、メモリカード１６を下筐体１１の横から挿入したり抜き出したりできるように、下筐体１１の側方へ向かって開口する出し入れ口１７ａを備えている。即ち、この実施形態では、電池収納部１５とカード収納部１７を電池カバー３０のスライド方向に並べて配置することで、電池カバー３０が半開き位置にあるとき、電池１４を収納したまま、カード収納部１７に対しメモリカード１６を下筐体１１の側方から着脱可能なように設計されている。
【００２２】
電池カバー３０は、図１に示すように平面矩形状に形成された底板３０ａと、底板３０ａの相対する二辺側に形成された側板３０ｂ、３０ｂとを有している。二つの側板３０ｂ、３０ｂの高さは、第２段部１９ａの深さにほぼ対応している。したがって、図３及び図４に示すように、電池カバー３０を下筐体１１に装着した状態では、下筐体１１の平坦な裏面部分１１ａと電池カバー３０の裏面部分とが面一になるように配慮されている。
【００２３】
電池カバー３０のスライド方向の一端側は短板のない開放端３０ｃとして形成され、他端側は短板３０ｄにより閉じられている。これにより、電池カバー３０を下筐体１１に装着した状態では電池収納部１５とカード収納部１７を完全に閉じる全閉状態とすることができるようになっている。
【００２４】
下筐体１１と電池カバー３０との間には、電池カバー３０をそのスライド位置に応じた全閉位置（図３参照）と半開き位置（図４参照）とにそれぞれ仮固定状態に位置決めする位置決め手段が設けられている。この位置決め手段としては、この実施形態では、図５に（ａ）に示すように、電池カバー３０を全閉位置にスライドさせた状態と、図５（ｂ）に示すように、電池カバー３０を半開き位置にスライドさせた状態の両位置で相互に係合する固定側フック２１と移動側フック３１を備えている。
【００２５】
さらに、この位置決め手段は、図６に示すように、電池カバー３０のスライド位置がその全閉位置と半開き位置との間にあるとき、固定側フック２１及び移動側フック３１の係合状態が解除されるように構成されている。
【００２６】
固定側フック２１は、図２及び図６に示すように、下筐体１１の第２段部１９ａ部分に設けられ、移動側フック３１は電池カバー３０の底板３０ａの内面部分に設けられている。固定側フック２１は、下筐体１１から電池カバー３０側へ突出した起立片２１ａと、起立片２１ａの両側から電池カバー３０のスライド方向に突出した両側フック片２１ｂとを有し、全体としてＴ形状に形成されている。両側フック片２１ｂには底板３０ａの方へ隆起した突部２１ｃ、２１ｃが形成されている。
【００２７】
固定側フック２１は、下筐体１１の長手方向に間隔をおいて３箇所、下筐体１１の両側近くにそれぞれ一列、合計二列で６箇所配設されている。この片側３箇所を一列とする固定側フック２１のうち、カード収納部１７寄りの固定側フック２１は片側フック片２１ｄとして形成されている。勿論、同じく両側フック片２１ｂとして形成してもよいが、後述するように片側フック片としての機能を備えていれば十分なためである。
【００２８】
移動側フック３１は、電池カバー３０から下筐体１１側へ突出した起立片３１ａと、起立片３１ａの両側から電池カバー３０のスライド方向に突出した両側フック片３１ｂとを有し、全体として逆Ｔ形状に形成されている。両側フック片３１ｂには段部１９の方へ隆起した突部３１ｃ、３１ｃが形成されている。
【００２９】
移動側フック３１は、電池カバー３０のスライド方向に間隔をおいて３箇所、電池カバー３０の両縁近くにそれぞれ一列、合計二列で６箇所配設されている。この片側３箇所を一列とする移動側フック３１のうち、下筐体１１の自由端寄りの移動側フック３１は片側フック片３１ｄとして形成されている。勿論、この場合も同じく両側フック片３１ｂとして形成してもよいが、同様の理由で片側フック片としての機能を備えていれば十分なためである。
【００３０】
電池カバー３０の開放端３０ｃ側には、下筐体１１の平坦な裏面部分１１ａと第１段部１９との境界壁部分に設けられたフック穴１１ｆ内への進入により係合する先端フック３０ｆが設けられている。
【００３１】
この実施形態によれば、電池カバー３０がその全閉位置と半開き位置の両方のスライド位置にあるときに、固定側フック２１の少なくとも二つと、移動側フック３１の少なくとも二つが相互に係合する。即ち、電池カバー３０が全閉位置にあるときには、図５（ａ）に示すように、三つの固定側フック２１と三つの移動側フック３１とが相互に係合する。したがって、電池カバー３０はその全閉位置において下筐体１１に対して確実に仮固定されて位置決めされる。このとき、片側フック片２１ｄ、３１ｄはいずれも相手側の両側フック片３１ｂ、２１ｂと係合している。
【００３２】
一方、電池カバー３０が半開き位置にあるときには、図５（ｂ）に示すように、二つの固定側フック２１と、二つの移動側フック３１とが相互に係合する。したがって、電池カバー３０はその半開き位置において下筐体１１に対して確実に仮固定されて位置決めされる。このとき、固定側フック２１の片側フック片２１ｄ及び移動側フック３１の片側フック片３１ｄはいずれも係合しない状態（遊び状態）となっている。
【００３３】
この状態においては、電池１４及び電池収納部１５は電池カバー３０により覆われるので、誤って電池１４を落としたりすることはない。しかも、電池カバー３０が半開き状態で、メモリカード１６とそのカード収納部１７は電池カバー３０により覆われないので、メモリカード１６の抜き出し操作や装着操作を、電池１４を保護した状態で容易に行うことができる。これにより、メモリカード１６を着脱する際の作業性を格段に向上させることができる。
【００３４】
なお、電池１４を着脱操作する場合、あるいは電池１４及びメモリカード１６の両方とも着脱操作する場合には、図６に示すように、電池カバー３０を全閉位置と半開き位置との中間位置にスライドさせ、上方へ持ち上げることで、電池カバー３０を外すことができる。電池カバー３０を装着する場合にはこれと逆の操作を行えばよい。
【００３５】
このように、電池カバー３０がその全閉位置と半開き位置の両方のスライド位置にあるときに、固定側フック２１の少なくとも二つと、移動側フック３１の少なくとも二つが相互に係合する構成とすることで、特に、電池カバー３０をその半開き位置でも下筐体１１に確実に仮固定することができる。
【００３６】
また、固定側フック２１及び移動側フック３１の両方をＴ形状の両側フック構造とすることで、フック全体の構造を簡素化することができる上に、フックの総数も必要以上に増やさない構成とすることができる。
【００３７】
（実施形態２）
図７〜図１３は本発明を携帯電話機に適用した実施形態を示す図である。これらの図において実施形態１と基本的に同一の構成要素については同一符号を付してその説明を簡略化する。
【００３８】
図７は電池カバー３０を開く方向にスライドさせた状態の携帯電話機１００を裏面側から見た斜視図であり、図８は電池カバー３０を外した状態の斜視図であり、図９は電池カバー３０の裏面図である。
【００３９】
この実施形態２に係る携帯電話機１００も、電池１４を収納する凹形状の電池収納部１５とカード１６を収納するカード収納部１７が併設された本体部１１と、電池収納部１５及びカード収納部１７を覆う形態で本体部１１にスライド可能に装着される電池カバー３０と、本体部１１と電池カバー３０との間に設けられて電池カバー３０をそのスライド位置に応じた全閉位置と半開き位置とに位置決めする位置決め手段とを備えている。そして、カード収納部１７は、電池カバー３０が半開き位置にあるとき、電池１４を収納したままカード１６を着脱可能になっている。以下、各部の構成について説明する。
【００４０】
本体部１１には、図示しない送受信部、アンテナ、バイブレータ、カメラ部など、携帯電話機として必要な機能が装備されている。また、本体部１１の表面側には、特に図示していないが、文字や画像等の情報表示部の他に、押しボタン等の操作部が設けられている。本体部１１の裏面側には、図８に示すように、平面矩形状の薄型電池１４を収納する電池収納部１５と、メモリカード１６を収納するカード収納部１７とが設けられている。このメモリカード１６についても、実施形態１と同様のものを例示することができる。
【００４１】
本体部１１の裏面は、平坦な裏面部分１１ａと、それよりも一段下がった第１段部１９とを有するように形成され、電池収納部１５とカード収納部１７はこの第１段部１９部分に設けられている。
【００４２】
さらに、この本体部１１の第１段部１９部分には、電池カバー３０が電池収納部１５及びカード収納部１７を覆う形態でスライド可能に装着される。電池収納部１５とカード収納部１７は、本体部１１の長手方向（電池カバー３０のスライド方向）に並べて配置されている。この場合、電池収納部１５が本体部１１の一端側（平坦な裏面部分１１ａのある端部と反対側の端部）へ寄せて配置され、カード収納部１７がその電池収納部１５と平坦な裏面部分１１ａとの間に配置されている。
【００４３】
メモリカード１６のカード収納部１７は、そのカード収納部１７に収納されるカード１６の片面が、電池１４の装着される面に露出する状態で配設されている。このように、カード収納部１７に収納されるカード１６の片面を露出させると共に、電池収納部１５とカード収納部１７を電池カバー３０のスライド方向に並べて配置することで、電池カバー３０が半開き位置にあるとき、電池１４を収納したまま、カード収納部１７に対しメモリカード１６を電池１４が装着された面から容易に着脱操作可能なように設計されている。
【００４４】
本体部１１と電池カバー３０との間には、電池カバー３０を本体部１１の長手方向にのみスライドさせるスライドガイドが設けられている。このスライドガイドは、本体部１１の両側部分に設けられて本体部１１の長手方向に延びるレール溝１９１と、電池カバー３０の両縁部に設けられてレール溝１９１に係合するレール３１０とを含む。そして、レール溝１９１部分に凸部１１１を構成する板バネ（弾性部材）が設けられ、レール３１０部分に第１凹部３１１、第２凹部３１２がそれぞれ設けられている。
【００４５】
電池カバー３０は、図９に示すように平面矩形状に形成された底板３０ａと、底板３０ａの相対する二辺側に形成された側板３０ｂ、３０ｂと、その側板３０ｂ、３０ｂの内面から互いに対向する方向に突出したレール３１０、３１０とを有している。二つの側板３０ｂ、３０ｂの高さは、段部１９の深さにほぼ対応している。したがって、図１０に示すように、電池カバー３０を本体部１１に装着した状態では、下筐体１１の平坦な裏面部分１１ａと電池カバー３０の裏面部分とが面一になるように配慮されている。
【００４６】
電池カバー３０のスライド方向の一端側と他端側は端板のない開放端として形成され、これにより、電池カバー３０を本体部１１に装着した状態では電池収納部１５とカード収納部１７を完全に閉じる全閉状態とすることができるようになっている。
【００４７】
本体部１１と電池カバー３０との間には、電池カバー３０をそのスライド位置に応じた全閉位置（図１０参照）と半開き位置（図１２参照）とにそれぞれ仮固定状態に位置決めする位置決め手段が設けられている。この位置決め手段としては、この実施形態では、電池カバー３０を全閉位置にスライドさせた状態と半開き位置にスライドさせた状態の両位置で相互に係合する凸部と凹部を備えている。
【００４８】
即ち、位置決め手段は、この実施形態では、本体部１１に設けられた凸部１１１と、電池カバー３０に設けられてその電池カバー３０の全閉位置で凸部１１１が嵌まり込む第１凹部３１１と、電池カバー３０の半開き位置で凸部１１１が嵌まり込む第２凹部３１２とを備えている。
【００４９】
なお、このスライドガイドは、図８に示すように、電池カバー３０をその全開位置にスライドさせて抜き出すことで、レール３１０とレール溝１９１との係合状態が解除されるように構成されている。
【００５０】
この実施形態によれば、電池カバー３０を図１０に示す全閉位置にスライドさせた状態では、板バネで構成された凸部１１１が第１凹部３１１に嵌まり込んで係合する。これにより電池カバー３０はその全閉位置に仮固定状態に位置決めされる。また、電池カバー３０を図１２に示す半開き位置にスライドさせた状態では、凸部１１１が第２凹部３１２に嵌まり込んで係合する。これにより、電池カバー３０はその半開き位置に仮固定状態に位置決めされる。
【００５１】
従って、この実施形態でも、電池カバー３０が完全に閉じたまま仮固定された状態と、電池カバー３０が半開きに仮固定された状態、つまり、電池１４及び電池カバー３０の脱落を防止しつつメモリカード１６を着脱できるように電池カバー３０をスライドさせた状態の二つの状態を実現することができる。これにより、メモリカード１６を着脱する際の作業性を格段に向上させることができる。
【００５２】
また、スライドガイドを本体部１１に設けたレール溝１９１と電池カバーに設けたレール３１０とで構成すると共に、レール溝１９１部分に凸部１１１を構成する板バネ（弾性部材）を設け、レール３１０部分に第１凹部３１１、第２凹部３１２をそれぞれ設けたので、スライドガイドと位置決め手段を一体化してコンパクトに構成することができる。特に、第１凹部３１１及び第２凹部３１２を設けるのに、レール３１０自体の肉厚を利用しているので、凹部のための肉厚を余分に確保する必要もないので、その分、薄型化も図ることができる。
【００５３】
なお、以上の実施形態においては、凸部１１１を板バネで構成した例を示したが、本発明はこれに限定されるものではなく、弾性変形可能に形成した樹脂製の突起であっても良い。また、固定側フック及び移動側フック等の構造も片側フック片と両側フック片とで構成することに限らず、片側フック片だけで構成したり、両側フック片だけで構成することも任意であり、その他、具体的な細部構造等についても適宜に変更可能であることは勿論である。
【図面の簡単な説明】
【００５４】
【図１】本発明を適用した実施形態１の構成を示す斜視図である。
【図２】本発明を適用した実施形態１の構成を示す側面図である。
【図３】本発明を適用した実施形態１の構成（全閉状態）を示す斜視図である。
【図４】本発明を適用した実施形態１の構成（半開状態）を示す斜視図である。
【図５】本発明を適用した実施形態１の構成を示すもので、（ａ）は係合手段の係合状態を示す断面図、（ｂ）は半開き位置での係合状態を示す断面図である。
【図６】本発明を適用した実施形態１の構成を示すもので、係合手段が解除された状態にあるときの断面図である。
【図７】本発明を適用した実施形態２の構成を示す斜視図である。
【図８】本発明を適用した実施形態２の構成を示す斜視図である。
【図９】本発明を適用した実施形態２の構成を示す電池カバーの裏面図である。
【図１０】本発明を適用した実施形態２の構成（全閉状態）を示す斜視図である。
【図１１】図１０に対応する電池カバーの凹部に対する凸部の関係位置を示す一部断面斜視図である。
【図１２】本発明を適用した実施形態２の構成（半開状態）を示す側面図である。
【図１３】図１２に対応する電池カバーの凹部に対する凸部の関係位置を示す一部断面斜視図である。
【符号の説明】
【００５５】
１０、１００  携帯電話機（電子機器）
１１  本体部（下筐体）
１１ａ平坦な裏面部分
１２  上筐体
１３  ヒンジ部
１４  電池（バッテリ）
１５  電池収納部
１６  メモリカード
１７  カード収納部
１９  第１段部
１９ａ  第２段部
１１１  凸部
１９１  レール溝
２１  固定側フック
２１ａ、３１ａ  起立片
２１ｂ、３１ｂ  両側フック片
２１ｃ、３１ｃ  突部
２１ｄ、３１ｄ  片側フック片
３０  電池カバー
３０ａ  底板
３０ｂ  側板
３１  移動側フック
３１０  レール
３１１  第１凹部
３２２  第２凹部
【図１】
2008263433.tif 000003
【図２】
2008263433.tif 000004
【図３】
2008263433.tif 000005
【図４】
2008263433.tif 000006
【図５】
2008263433.tif 000007
【図６】
2008263433.tif 000008
【図７】
2008263433.tif 000009
【図８】
2008263433.tif 000010
【図９】
2008263433.tif 000011
【図１０】
2008263433.tif 000012
【図１１】
2008263433.tif 000013
【図１２】
2008263433.tif 000014
【図１３】
2008263433.tif 000015